(57)【特許請求の範囲】
【請求項１】
キャリアテープに形成された多数の収容凹部に電子部品が収容されるテープ化部品を送り出すことで所定の位置で電子部品を供給するテープフィーダと、
(a)電子部品が装着される回路基板の搬送方向に直角な方向に延びるようにベース上に配置され、前記テープフィーダの下縁部をスライド可能に保持するスライド部と、(b)前記テープフィーダの前記テープ化部品の送り出し方向の側の側壁面が取り付けられる側壁面取付部とを有し、前記テープフィーダが着脱可能に装着されるテープフィーダ装着台と、
(A)前記テープフィーダの側壁面に上下方向に並んだ状態で立設される１対の立設ピンと、(B)前記側壁面取付部に形成され、前記テープフィーダが前記テープフィーダ装着台に装着された状態で、前記１対の立設ピンが嵌合される１対の嵌合穴とを有し、前記テープフィーダ装着台に対する前記テープフィーダの位置を規定する位置決め機構と
を備えた電子部品供給装置であって、
前記１対の立設ピンの一方が、その一方の中心軸から偏心した偏心軸を中心に回転する偏心ピンであって、
前記１対の嵌合穴のうちの前記偏心ピンが嵌合されるものが、上下方向に延びる長穴であり、
当該電子部品供給装置が、
前記偏心ピンを前記偏心軸を中心に回転させる回転モータと、
その回転モータの作動を制御し、前記テープフィーダ装着台に対する前記テープフィーダの位置を調整するテープフィーダ位置調整部を有する制御装置と
を備えた電子部品供給装置。
【請求項２】
前記テープフィーダが、前記搬送方向に並んで複数配列され、
それら複数のテープフィーダのうちの少なくとも２つのテープフィーダの電子部品供給位置の間の距離が特定距離とされ、
当該電子部品供給装置が、
少なくとも２つの吸着ノズルの間の距離が前記特定距離とされた複数の吸着ノズルを有する装着ヘッドの前記少なくとも２つの吸着ノズルに同時に少なくとも２つの電子部品を供給するように構成された請求項１に記載の電子部品供給装置。
【請求項３】
前記テープフィーダ位置調整部が、
装着ヘッドに吸着された電子部品を撮像する撮像装置によって得られた画像データに基づいて、前記回転モータの作動を制御するように構成された請求項１または請求項２に記載の電子部品供給装置。
【請求項４】
前記偏心ピンが、前記１対の立設ピンのうちの下方に位置するものである請求項１ないし請求項３のいずれか１つに記載の電子部品供給装置。
【請求項５】
前記テープフィーダが、
前記テープ化部品を送り出す送出装置を備え、
前記制御装置が、
前記送出装置の作動を制御し、前記テープフィーダの電子部品供給位置を調整する電子部品供給位置調整部を有する請求項１ないし請求項４のいずれか１つに記載の電子部品供給装置。
【発明の詳細な説明】
【技術分野】
【０００１】
本発明は、電子部品供給装置、特に、テープフィーダによって電子回路部品を供給する電子部品供給装置に関するものである。
【背景技術】
【０００２】
テープフィーダは、キャリアテープに形成された多数の収容凹部に電子回路部品（以下、「電子部品」と略す場合がある）が収容されるテープ化部品を送り出すことで所定の位置で電子部品を供給するとともに、ベース上に設けられたテープフィーダ装着台に着脱可能に装着される構造とされている。このような構造のテープフィーダを備えた電子部品供給装置（以下、「供給装置」と略す場合がある）には、電子部品の供給位置を一定させるべく、テープフィーダ装着台に対するテープフィーダの位置を規定するための位置決め機構が設けられているものが多くある。
【０００３】
しかしながら、位置決め機構によってテープフィーダの位置を規定しても、電子部品の供給位置が、正規の供給位置から僅かにズレることがあり、装着ヘッドの吸着ノズルによって電子部品を適切に吸着できない虞がある。このため、下記特許文献に記載されている供給装置では、実際の電子部品の供給位置と正規の電子部品の供給位置とのズレ量を取得し、そのズレ量に基づいて、装着ヘッドの移動位置を制御することで、吸着ノズルによって電子部品を適切に吸着するための技術が記載されている。
【先行技術文献】
【特許文献】
【０００４】
【特許文献１】特開２０００−７７８９２号公報
【発明の概要】
【発明が解決しようとする課題】
【０００５】
上記特許文献に記載の技術によれば、吸着ノズルによって電子部品を適切に吸着することは可能となるが、電子部品を吸着する毎に、電子部品の供給位置のズレ量に基づいて、装着ヘッドの移動位置を制御する必要がある。また、供給装置には、回路基板の搬送方向に並んで配列された複数のテープフィーダを備え、複数の吸着ノズルを有する装着ヘッドの少なくとも２つの吸着ノズルに同時に少なくとも２つの電子部品を供給するように構成されているものがある。そのように構成された供給装置では、複数のテープフィーダのうちの少なくとも２つのテープフィーダの電子部品供給位置の間の距離が、複数の吸着ノズルのうちの少なくとも２つの吸着ノズルとの間の距離と同じとされている。このため、電子部品の供給位置のズレにより２つのテープフィーダの供給位置の間の距離が変化した場合には、装着ヘッドの移動位置を制御しても、２つの吸着ノズルによって適切に２つの電子部品を同時吸着することができない虞がある。
【０００６】
このように、テープ化部品を送り出すことで所定の位置で電子部品を供給する供給位置は、種々の問題を抱え、実用性を改善する余地が多分に残されたものとなっている。本発明は、そのような実情に鑑みてなされたものであり、実用性の高い供給位置を提供することを課題とする。
【課題を解決するための手段】
【０００７】
上記課題を解決するために、本願の請求項１に記載の電子部品供給装置は、キャリアテープに形成された多数の収容凹部に電子部品が収容されるテープ化部品を送り出すことで所定の位置で電子部品を供給するテープフィーダと、(a)電子部品が装着される回路基板の搬送方向に直角な方向に延びるようにベース上に配置され、前記テープフィーダの下縁部をスライド可能に保持するスライド部と、(b)前記テープフィーダの前記テープ化部品の送り出し方向の側の側壁面が取り付けられる側壁面取付部とを有し、前記テープフィーダが着脱可能に装着されるテープフィーダ装着台と、(A)前記テープフィーダの側壁面に上下方向に並んだ状態で立設される１対の立設ピンと、(B)前記側壁面取付部に形成され、前記テープフィーダが前記テープフィーダ装着台に装着された状態で、前記１対の立設ピンが嵌合される１対の嵌合穴とを有し、前記テープフィーダ装着台に対する前記テープフィーダの位置を規定する位置決め機構とを備えた電子部品供給装置であって、前記１対の立設ピンの一方が、その一方の中心軸から偏心した偏心軸を中心に回転する偏心ピンであって、前記１対の嵌合穴のうちの前記偏心ピンが嵌合されるものが、上下方向に延びる長穴であり、当該電子部品供給装置が、前記偏心ピンを前記偏心軸を中心に回転させる回転モータと、その回転モータの作動を制御し、前記テープフィーダ装着台に対する前記テープフィーダの位置を調整するテープフィーダ位置調整部を有する制御装置とを備えるように構成される。
【０００８】
また、請求項２に記載の電子部品供給装置は、請求項１に記載の電子部品供給装置において、前記テープフィーダが、前記搬送方向に並んで複数配列され、それら複数のテープフィーダのうちの少なくとも２つのテープフィーダの電子部品供給位置の間の距離が特定距離とされ、当該電子部品供給装置が、少なくとも２つの吸着ノズルの間の距離が前記特定距離とされた複数の吸着ノズルを有する装着ヘッドの前記少なくとも２つの吸着ノズルに同時に少なくとも２つの電子部品を供給するように構成される。
【０００９】
また、請求項３に記載の電子部品供給装置は、請求項１または請求項２に記載の電子部品供給装置において、前記テープフィーダ位置調整部が、装着ヘッドに吸着された電子部品を撮像する撮像装置によって得られた画像データに基づいて、前記回転モータの作動を制御するように構成される。
【００１０】
また、請求項４に記載の電子部品供給装置は、請求項１ないし請求項３のいずれか１つに記載の電子部品供給装置において、前記偏心ピンが、前記１対の立設ピンのうちの下方に位置するものであるように構成される。
【００１１】
また、請求項５に記載の電子部品供給装置は、請求項１ないし請求項４のいずれか１つに記載の電子部品供給装置において、前記テープフィーダが、前記テープ化部品を送り出す送出装置を備え、前記制御装置が、前記送出装置の作動を制御し、前記テープフィーダの電子部品供給位置を調整する電子部品供給位置調整部を有するように構成される。
【発明の効果】
【００１２】
請求項１に記載の供給装置では、偏心ピンを長穴内に嵌合させた状態で回転させることで、１対の立設ピンのうちの偏心ピンとは異なるものを中心に、テープフィーダを揺動させることが可能となっている。これにより、テープフィーダの位置を、テープ化部品の送り出し方向に直角な方向に調整することが可能となり、テープフィーダによる電子部品の供給位置を、テープ化部品の送り出し方向に直角な方向に調整することが可能となる。また、テープ化部品の送り出しを調整することで、供給位置をテープ化部品の送り出し方向に調整することが可能である。つまり、請求項１に記載の供給装置では、電子部品の供給位置を任意の位置に調整することが可能となる。したがって、請求項１に記載の供給装置によれば、供給位置のズレ量に基づく装着ヘッドの位置制御を行うことなく、吸着ノズルによる電子部品の吸着を適切に行うことが可能となる。また、複数の吸着ノズルによる電子部品の同時吸着も適切に行うことが可能となる。
【００１３】
また、請求項２に記載の供給装置は、複数の吸着ノズルによる電子部品の同時吸着に対応した構造とされている。このため、請求項２に記載の供給装置では、電子部品の供給位置を任意の位置に調整する効果を充分に活かすことが可能となる。
【００１４】
また、請求項３に記載の供給装置では、装着ヘッドに吸着された電子部品の画像データに基づいて、電子部品の供給位置を調整することが可能となっている。これにより、吸着ノズルによる電子部品の吸着のズレを低減させることが可能となる。
【００１５】
また、請求項４に記載の供給装置では、偏心ピンがテープフィーダの側壁面の下方に設けられている。テープフィーダ内の側壁面の上方の近傍には、通常、テープ化部品を送り出すための装置、具体的には、例えば、テープ化部品に一定ピッチで形成された送り穴に係合するスプロケット，そのスプロケットを駆動するためのモータ等が設けられており、空きスペースが非常に少ない。一方、テープフィーダ内の側壁面の下方の近傍には、上方と比較すると、空きスペースが比較的多い。したがって、請求項４に記載の供給装置によれば、偏心ピンを回転させるための回転モータをある程度自由に配設することが可能となり、設計の自由度を高くすることが可能となる。
【００１６】
また、請求項５に記載の供給装置では、テープ化部品の送出装置の作動を制御することで、電子部品の供給位置をテープ化部品の送り出し方向に制御可能に調整することが可能となっている。これにより、電子部品の供給位置を確実に任意の位置に調整することが可能となる。
【図面の簡単な説明】
【００１７】
【図１】本発明の実施例である電子部品供給装置が取り付けられた電子部品装着機が２台並べられて構成されている電子部品装着装置を示す斜視図である。
【図２】図１に示す電子部品装着機の備える装着ヘッドを示す斜視図である。
【図３】図２に示す装着ヘッドを下方からの視点において示す底面図である。
【図４】図１に示す電子部品装着機の備えるテープフィーダを一方の側面からの視点において示す斜視図である。
【図５】図１に示す電子部品装着機の備えるテープフィーダを他方の側面からの視点において示す斜視図である。
【図６】図１に示す電子部品装着機の備えるテープフィーダを示す概略断面図である。
【図７】図４乃至図６に示すテープフィーダの一部および、そのテープフィーダによって送り出されるテープ化部品を示す平面図である。
【図８】図４乃至図６に示すテープフィーダが装着されるテープフィーダ装着台を示す斜視図である。
【図９】図１に示す電子部品装着機の備える制御装置を示すブロック図である。
【図１０】本発明の電子部品供給装置によって電子部品が供給される装着ヘッドの変形例を示す斜視図である。
【発明を実施するための形態】
【００１８】
以下、本発明を実施するための形態として、本発明の実施例および変形例を、図を参照しつつ詳しく説明する。  
【００１９】
＜電子部品装着装置の構成＞
図１に、電子部品装着装置（以下、「装着装置」と略す場合がある）１０を示す。その図は、装着装置１０の外装部品の一部を取り除いた斜視図である。装着装置１０は、１つのシステムベース１２と、そのシステムベース１２の上に互いに隣接されて並んで配列された２つの電子部品装着機（以下、「装着機」と略す場合がある）１６とを含んで構成されており、回路基板に電子部品を装着する作業を行うものとされている。なお、以下の説明において、装着機１６の並ぶ方向をＸ軸方向とし、その方向に直角な水平の方向をＹ軸方向と称する。
【００２０】
装着装置１０の備える装着機１６の各々は、主に、フレーム部２０とそのフレーム部２０に上架されたビーム部２２とを含んで構成された装着機本体２４と、回路基板をＸ軸方向に搬送するとともに設定された位置に固定する搬送装置２６と、その搬送装置２６によって固定された回路基板に回路部品を装着する装着ヘッド２８と、ビーム部２２に配設されて装着ヘッド２８をＸ軸方向およびＹ軸方向に移動させる移動装置３０と、フレーム部２０の前方に配設され装着ヘッド２８に電子部品を供給する電子部品供給装置（以下、「供給装置」と略す場合がある）３２とを備えている。
【００２１】
搬送装置２６は、２つのコンベア装置４０，４２を備えており、それら２つのコンベア装置４０，４２は、互いに平行、かつ、Ｘ軸方向に延びるようにフレーム部２０のＹ軸方向での中央部に配設されている。２つのコンベア装置４０，４２の各々は、電磁モータ４４（図９参照）によって各コンベア装置４０，４２に支持される回路基板をＸ軸方向に搬送する構造とされている。さらに、コンベア装置４０，４２の各々は、基板保持装置４６（図９参照）を有しており、所定の位置において回路基板を固定的に保持する構造とされている。
【００２２】
装着ヘッド２８は、搬送装置２６によって保持された回路基板に対して電子部品を装着するものであり、図２に示すように、電子部品を吸着する吸着ノズル５０を先端部に保持する装着ユニット５２を８個備えている。吸着ノズル５０の各々は、正負圧供給装置（図９参照）５４を介して負圧エア，正圧エア通路に通じており、負圧にて電子部品を吸着保持し、僅かな正圧が供給されることで保持した電子部品を離脱する構造とされている。概して軸状をなす装着ユニット５２は、間欠回転するユニット保持体５６の外周部に、等角度ピッチで、軸方向が垂直となる状態に保持されており、吸着ノズル５０は、図３に示すように、ユニット保持体５６の下面から下方に向かって８等配の位置で延び出している。
【００２３】
また、ユニット保持体５６は、保持体回転装置５８によって、装着ユニット５２の配設角度ピッチに等しい角度ずつ間欠回転させられ、そのユニット保持体５６に保持される装着ユニット５２が間欠回転させられる。間欠回転における装着ユニット５２の１つの停止位置である昇降ステーション（最も前方に位置するステーション）において、そのステーションに位置する装着ユニット５２は、ユニット昇降装置６０によって昇降させられる。これにより、装着ユニット５２の先端部に保持される吸着ノズル５０は、後に説明する供給装置３２から電子部品を吸着する。また、装着ヘッド２８では、８個の吸着ノズル５０のうちの連続する３個の吸着ノズル５０の両端に位置するもの、つまり、ある１つの吸着ノズル５０に隣接する２個の吸着ノズル５０によって、供給装置３２から同時に２つの電子部品を吸着することもできるようになっている。ちなみに、同時吸着を行う２つの吸着ノズル５０間の距離は、特定距離Ｌとされている。
【００２４】
また、昇降ステーションとは別の停止位置が、ユニット自転ステーションとされており、そのステーションにおいて、そのステーションに位置する装着ユニット５２が、ユニット自転装置６２によって自転させられる。これにより、吸着保持された電子部品の上下方向の位置および電子部品の保持姿勢を変更することが可能とされている。
【００２５】
移動装置３０は、上記装着ヘッド２８をフレーム部２０上の任意の位置に移動させるものであり、装着ヘッド２８をＸ軸方向に移動させるためのＸ軸方向スライド機構（図示省略）と、装着ヘッド２８をＹ軸方向に移動させるためのＹ軸方向スライド機構（図示省略）とを備えている。Ｘ軸方向スライド機構は、Ｘ軸方向に移動可能にビーム部２２に設けられたＸ軸スライダ（図示省略）と、駆動源としての電磁モータ（図９参照）６４とを有しており、その電磁モータ６４によって、Ｘ軸スライダがＸ軸方向の任意の位置に移動可能とされている。また、Ｙ軸方向スライド機構は、Ｙ軸方向に移動可能にＸ軸スライダに設けられたＹ軸スライダ６６と、駆動源としての電磁モータ（図９参照）６８とを有しており、その電磁モータ６８によって、Ｙ軸スライダ６６がＹ軸方向の任意の位置に移動可能とされている。そして、そのＹ軸スライダ６６に装着ヘッド２８が取り付けられることで、装着ヘッド２８は、移動装置３０によって、フレーム部２０上の任意の位置に移動可能とされている。なお、装着ヘッド２８は、Ｙ軸スライダ６６にワンタッチで着脱可能とされており、種類の異なる作業ヘッド、例えば、ディスペンサヘッド等に変更することが可能とされている。
【００２６】
また、供給装置３２は、フレーム部２０の前方側の端部に配設されており、フィーダ型の供給装置とされている。供給装置３２は、回路部品がテーピング化されたテープ化部品（図７参照）７０をリール７２に巻回させた状態で収容する複数のテープフィーダ７４と、それら複数のテープフィーダ７４の各々に収容されているテープ化部品７０を送り出す複数の送出装置（図４乃至図６参照）７６とを有しており、テープ化部品７０から電子部品を装着ヘッド２８への供給位置に順次供給する構造とされている。
【００２７】
テープフィーダ７４の上端面には、図４乃至図６に示すように、リール７２から引き出されたテープ化部品７０が延在させられており、そのテープ化部品７０がテープフィーダ７４に内蔵されている送出装置７６によって送り出されることで、テープフィーダ７４の上端面の先端部において、電子部品が供給されるようになっている。詳しく言えば、テープ化部品７０は、図７に示すように、多数の収容凹部７８および送り穴８０が等ピッチで形成されたキャリアテープ８２と、収容凹部７８に収容される電子部品８４と、キャリアテープ８２の電子部品８４が収容された収容凹部７８を覆うトップカバーテープ８６とから構成されている。一方、送出装置７６は、図４乃至図６に示すように、テープ化部品７０のキャリアテープ８２に形成された送り穴８０に係合するスプロケット８８と、電磁モータ９０と、その電磁モータ９０の回転力をスプロケット８８に伝達するための伝達機構９２とから構成されている。
【００２８】
この構成により、テープフィーダ７４によって電子部品が供給される際には、送出装置７６の電磁モータ９０が作動されることで、キャリアテープ８２にトップカバーテープ８６が貼着された状態のテープ化部品７０が、スプロケット８８によって、収容凹部７８の形成ピッチと同ピッチ分、送り出される。そして、剥離装置（図示省略）によって、キャリアテープ８２からトップカバーテープ８６が剥ぎ取られる。これにより、電子部品８４が収容された収容凹部７８が順次解放され、その解放された収容凹部７８から回路部品８４が吸着ノズル５０によって取り出される。
【００２９】
また、テープフィーダ７４は、フレーム部２０の前方側の端部に固定的に設けられたテープフィーダ装着台９６に着脱可能とされている。テープフィーダ装着台９６は、図８に示すように、フレーム部２０の上面にＹ軸方向に延びるように形成されたスライド部９８と、そのスライド部９８の搬送装置２６に近い側に立設された立設面部１００とから構成されている。スライド部９８は、テープフィーダ７４の下縁部を嵌合させた状態でテープフィーダ７４をスライドさせることが可能とされており、テープフィーダ７４のテープフィーダ装着台９６への装着時には、テープフィーダ７４の下縁部をスライド部９８に嵌合させた状態でテープフィーダ７４を立設面部１００に接近させる方向にスライドさせる。これにより、図６に示すように、テープフィーダ７４のテープ化部品の送り出し方向の側の側壁面１０２が立設面部１００に取り付けられて、テープフィーダ７４がテープフィーダ装着台９６に装着される。
【００３０】
テープフィーダ７４の側壁面１０２には、上下方向に並んだ状態で１対の立設ピン１０４，１０６が立設されている。１対の立設ピン１０４，１０６のうちの上方に位置する第１立設ピン１０４は、側壁面１０２に固定されている。一方、１対の立設ピン１０４，１０６のうちの下方に位置する第２立設ピン１０６は、それの中心軸から偏心した偏心軸１０８を中心に回転可能とされており、その偏心軸１０８は回転モータ１１０に接続されている。
【００３１】
そのテープフィーダ７４の側壁面１０２が取り付けられる立設面部１００には、上下方向に並んだ状態で１対の嵌合穴１１２，１１４が形成されており、テープフィーダ７４のテープフィーダ装着台９６への装着時に、１対の立設ピン１０４，１０６が１対の嵌合穴１１２，１１４に嵌合されるようになっている。１対の嵌合穴１１２，１１４のうちの第１立設ピン１０４が嵌合される第１嵌合穴１１２は、それの内径が第１立設ピン１０４の外径より僅かに大きな円形状の穴とされており、第１立設ピン１０４を殆ど隙間なく嵌合させることが可能となっている。一方、１対の嵌合穴１１２，１１４のうちの第２立設ピン１０６が嵌合される第２嵌合穴１１４は、上下方向に延びる長穴とされており、その長穴の幅、つまり、短径は、第２立設ピン１０６の外径より僅かに大きくされている。これにより、第２嵌合穴１１４は、それの幅方向において第２立設ピン１０６を殆ど隙間なく嵌合させることが可能となっている。なお、テープフィーダ７４の側壁面１０２には、１対の立設ピン１０４，１０６の間に、コネクタ１１６が設けられており、テープフィーダ装着台９６の立設面部１００の１対の嵌合穴１１２，１１４の間に形成されたコネクタ接続部１１８に接続されるようになっている。
【００３２】
このような構造により、テープフィーダ７４がテープフィーダ装着台９６に装着された際に、１対の立設ピン１０４，１０６が１対の嵌合穴１１２，１１４に嵌合されることで、テープフィーダ７４のテープフィーダ装着台９６に対する位置を規定することが可能となる。つまり、供給装置３２は、１対の立設ピン１０４，１０６と１対の嵌合穴１１２，１１４とによって構成されるテープフィーダ７４の位置決め機構を備えるものとされている。ちなみに、テープフィーダ装着台９６には複数のテープフィーダ７４がＸ軸方向に並んで装着されるようになっており、それら複数のテープフィーダ７４の各々に上記位置決め機構が備えられている。各位置決め機構によって装着位置が規定されている複数のテープフィーダ７４のうちの隣り合う２つのテープフィーダ７４の電子部品供給位置の間の距離は、上記特定距離Ｌとされている。つまり、２つのテープフィーダ７４による電子部品の供給位置の間の距離は、装着ヘッド２８の８個の吸着ノズル５０のうちの２個の吸着ノズル５０の間の距離と同じとされており、それら２個の吸着ノズル５０によって、隣り合う２つのテープフィーダ７４から電子部品を同時に吸着することが可能となっている。
【００３３】
また、第２嵌合穴１１４に嵌合された状態の第２立設ピン１０６が、回転モータ１１０によって回転させられることで、テープフィーダ７４のＸ軸方向における位置を調整することが可能となっている。詳しく言えば、第２嵌合穴１１４に嵌合された状態の第２立設ピン１０６を、偏心軸１０８を中心に回転させると、第２立設ピン１０６の外周面によって、長穴形状の第２嵌合穴１１４を区画する内壁がＸ軸方向に押圧される。この際、第２立設ピン１０６は、第２嵌合穴１１４内を上下方向に移動し、テープフィーダ７４が、第１嵌合穴１１２に嵌合された第１立設ピン１０４を中心に揺動する。これにより、テープフィーダ７４のＸ軸方向における位置が調整される。そして、回転モータ１１０を停止することで、テープフィーダ７４はその調整された位置において位置決めされる。
【００３４】
また、装着機１６は、マークカメラ（図９参照）１３０およびパーツカメラ（図２，９参照）１３２を備えている。マークカメラ１３０は、下方を向いた状態でＹ軸スライダ６６の下面に固定されており、移動装置３０によって移動させられることで、回路基板の表面を任意の位置において撮像することが可能となっている。一方、パーツカメラ１３２は、上を向いた状態でフレーム部２０の搬送装置２６と供給装置３２との間に設けられており、装着ヘッド２８の吸着ノズル５０によって吸着保持された電子部品を撮像することが可能となっている。マークカメラ１３０によって得られた画像データおよび、パーツカメラ１３２によって得られた画像データは、画像処理装置１３４（図９参照）において処理され、回路基板に関する情報，基板保持装置４６による回路基板の保持位置誤差，吸着ノズル５０による電子部品の保持位置誤差等が取得される。
【００３５】
さらに、装着機１６は、図９に示すように、制御装置１４０を備えている。制御装置１４０は、ＣＰＵ，ＲＯＭ，ＲＡＭ等を備えたコンピュータを主体とするコントローラ１４２と、上記電磁モータ４４，６４，６８，基板保持装置４６，正負圧供給装置５４，ユニット昇降装置６０，ユニット自転装置６２，送り装置７６，回転モータ１１０の各々に対応する複数の駆動回路１４４とを備えている。また、コントローラ１４２には、各駆動回路１４４を介して搬送装置，移動装置等の駆動源が接続されており、搬送装置，移動装置等の作動を制御することが可能とされている。さらに、コントローラ１４２には、マークカメラ１３０およびパーツカメラ１３２によって得られた画像データを処理する画像処理装置１３４が接続されている。
【００３６】
＜電子部品装着機による装着作業＞
装着機１６では、上述した構成によって、搬送装置２６に保持された回路基板に対して、装着ヘッド２８によって電子部品の装着作業を行うことが可能とされている。具体的に説明すれば、まず、搬送装置２６によって、回路基板を装着作業位置まで搬送するとともに、その位置において回路基板を固定的に保持する。次に、移動装置３０によって、装着ヘッド２８を回路基板上に移動させ、マークカメラ１３０によって、回路基板を撮像する。その撮像により回路基板の種類，搬送装置２６による回路基板の保持位置誤差が取得される。その取得された回路基板の種類に応じた電子部品を、供給装置３２のテープフィーダ７４によって供給し、その回路部品の供給位置に、装着ヘッド２８を移動装置３０によって移動させる。これにより、装着ヘッド２８の吸着ノズル５０によって回路部品が吸着保持される。なお、本装着機１６では、上述したように、２つの吸着ノズル５０によって、２つのテープフィーダ７４から電子部品を同時吸着することが可能となっている。
【００３７】
続いて、電子部品を保持した状態の装着ヘッド２８を、移動装置３０によってパーツカメラ１３２上に移動させ、パーツカメラ１３２によって、装着ヘッド２８に保持された電子部品を撮像する。その撮像により電子部品の保持位置誤差が取得される。そして、移動装置３０によって、装着ヘッド２８を回路基板上の装着位置に移動させ、装着ヘッド２８によって、回路基板および電子部品の保持位置誤差に基づいて装着ノズル５０を自転させた後に，電子部品が装着される。
【００３８】
＜テープフィーダによる電子部品の供給位置の調整＞
上述したように、本装着機１６は、供給装置３２のテープフィーダ７４によって供給された電子部品を、装着ヘッド２８の吸着ノズル５０によって吸着保持し、その吸着保持された電子部品を回路基板上に装着するように構成されている。このように構成された装着機では、吸着ノズル５０によって電子部品を適切に吸着することは重要であり、吸着ノズル５０は、電子部品のあらかじめ設定されている箇所を吸着することが望ましい。このため、テープフィーダ７４は、あらかじめ規定されている位置において、電子部品を供給することが望ましく、電子部品の供給位置を規定するべく、供給装置３２には、上述したように、テープフィーダ７４の位置を規定するための機構が設けられている。
【００３９】
しかしながら、そのような機構によってテープフィーダ７４の位置を規定しても、テープフィーダ７４は所定の位置から僅かにズレる場合があり、テープフィーダ７４のズレに伴って、電子部品の供給位置も所定の位置からズレる場合がある。このような場合には、吸着ノズル５０による電子部品の吸着が適切に行えない虞がある。特に、本装着機１６では、２つの吸着ノズル５０によって、２つのテープフィーダ７４から電子部品を同時吸着することが可能となっているため、２つのテープフィーダ７４の供給位置がズレると、それら２つのテープフィーダ７４の供給位置の間の距離が上記特定距離Ｌから変化する場合がある。このような場合には、２つの吸着ノズル５０による電子部品の同時吸着が適切に行えない虞がある。
【００４０】
そこで、本作業機１６では、テープフィーダ７４による電子部品の供給位置のズレを補正するべく、電子部品の供給位置を調整するための供給位置調整制御を行っている。この制御では、供給位置のズレ量に基づいて、テープフィーダ７４の送出装置７６およびテープフィーダ７４の位置決め機構の回転モータ１１０の作動を制御することで、電子部品の供給位置を調整している。詳しく言えば、まず、装着作業時にパーツカメラ１３２によって撮像された電子部品の画像データ、つまり、吸着ノズル５０に吸着保持された状態の電子部品の画像データから、吸着ヘッド５０による電子部品の保持位置誤差を取得する。そして、その保持位置誤差に基づいて、電子部品供給位置のＸ軸方向へのズレ量およびＹ軸方向へのズレ量を演算する。これらの処理は、図９に示すコントローラ１４２の供給位置ズレ量取得部１５０において行われる。
【００４１】
そして、その取得された電子部品供給位置のＸ軸方向へのズレ量に基づいて、回転モータ１１０の作動を制御することで、テープフィーダ７４の位置をＸ軸方向に調整し、電子部品供給位置をＸ軸方向に調整する。この処理は、図９に示すコントローラ１４２のテープフィーダ位置調整部１５２において行われる。さらに、取得された電子部品供給位置のＹ軸方向へのズレ量に基づいて、テープフィーダ７４の送出装置７６の作動を制御することで、テープ化部品７０の送り出し量を調整し、電子部品供給位置をＹ軸方向に調整する。この処理は、図９に示すコントローラ１４２の電子部品供給位置調整部１５４において行われる。以上の処理によって、電子部品供給位置のズレを無くすことが可能となり、吸着ノズル５０による電子部品の吸着を適切に行うことが可能となる。
【００４２】
ちなみに、上記実施例において、電子部品供給装置３２は、電子部品供給装置の一例であり、電子部品供給装置３２を構成するテープフィーダ７４、テープフィーダ装着台９６は、テープフィーダ、テープフィーダ装着台の一例である。そのテープフィーダ装着台９６のスライド部９８、立設面部１００は、スライド部、側壁面取付部の一例である。第１立設ピン１０４、第２立設ピン１０６は、１対の立設ピンの一例であり、第１嵌合穴１１２、第２嵌合穴１１４は、１対の嵌合穴の一例である。そして、それら第１立設ピン１０４、第２立設ピン１０６、第１嵌合穴１１２、第２嵌合穴１１４によって構成される機構は、位置決め機構の一例である。回転モータ１１０は、回転モータの一例であり、制御装置１４０は、制御装置の一例である。その制御装置１４０のテープフィーダ位置調整部１５２、電子部品供給位置調整部１５４は、テープフィーダ位置調整部、電子部品供給位置調整部の一例である。また、装着ヘッド２８、吸着ノズル５０は、装着ヘッド、吸着ノズルの一例であり、パーツカメラ１３２は、撮像装置の一例である。
【００４３】
なお、本発明は、上記実施例に限定されるものではなく、当業者の知識に基づいて種々の変更、改良を施した種々の態様で実施することが可能である。具体的には、例えば、上記実施例では、供給位置調整制御を実行する制御装置１４０は、装着機１６に対応して設けられるものであったが、複数のテープフィーダ７４の各々に供給位置調整制御を実行するための制御装置を設けてもよい。
【００４４】
また、上記実施例では、装着ヘッドとして、複数の吸着ノズルが円環状に配置された装着ヘッド、所謂、ロータリヘッドが採用されていたが、図１０に示す多連型の装着ヘッド１６０を採用することが可能である。この装着ヘッド１６０は、８個の単位搭載ヘッド１６２によって構成されており、各単位搭載ヘッド１６２の下端面に吸着ノズル１６４が設けられている。ちなみに、隣り合う２個の吸着ノズル１６４の間の距離は、上記特定距離Ｌとされている。
【符号の説明】
【００４５】
２８：装着ヘッド    ３２：電子部品供給位置    ５０：吸着ノズル    ７４：テープフィーダ    ７６：送出装置    ９６：テープフィーダ装着台    ９８：スライド部    １００：立設面部（側壁面取付部）    １０４：第１立設ピン（位置決め機構）    １０６：第２立設ピン（偏心ピン）（位置決め機構）    １１０：回転モータ    １１２：第１嵌合穴（位置決め機構）    １１４：第２嵌合穴（長穴）（位置決め機構）    １４０：制御装置    １５２：テープフィーダ位置調整部    １５４：供給位置調整部    １６０：装着ヘッド    １６４：吸着ノズル
【図１】
0005746593.tif 000002
【図２】
0005746593.tif 000003
【図３】
0005746593.tif 000004
【図４】
0005746593.tif 000005
【図５】
0005746593.tif 000006
【図６】
0005746593.tif 000007
【図７】
0005746593.tif 000008
【図８】
0005746593.tif 000009
【図９】
0005746593.tif 000010
【図１０】
0005746593.tif 000011